【事件の表示】
　特願２００７−２０８８６０「カメラモジュール及び光学フィルタ」拒絶査定不服審判事件〔平成２０年　１月２４日出願公開、特開２００８−　１７５０５〕について、次のとおり審決する。
【結　論】
　本件審判の請求は、成り立たない。
【理　由】
１　手続の経緯、本願発明 
　本願は、平成１５年９月３０日を国際出願日とする出願である特願２００５−５０９２９７号の一部を分割して、平成１９年８月１０日に出願（特願２００７−２０８８６０号）されたものであり、本願の発明は、平成２０年９月２９日付け手続補正書により補正された明細書及び図面の記載からみて、その特許請求の範囲の請求項１に係る発明（以下「本願発明」という。）は、次のとおりのものである。 
　　
「撮像用レンズが取り付けられたレンズユニットと、該撮像用レンズに対向するように撮像素子が取り付けられたパッケージとよりなるモジュール構造体と、
　前記撮像素子と前記撮像用レンズとの間に配置された光学フィルタと
　を有するカメラモジュールであって、
　前記光学フィルタの側面を含む周囲部分の少なくとも一部が金属膜により被覆されており、該金属膜は前記光学フィルタが前記カメラモジュールに組み込まれる前に予め前記光学フィルタに形成されていることを特徴とするカメラモジュール。」
　　
２　引用文献の記載
　原査定の拒絶の理由に引用された特開２００２−３７３９７７号公報（以下「引用文献」という。）には、図面と共に以下の記載がある。
　　
〈技術分野〉
「　　【０００１】
　　【発明の属する技術分野】
　本発明は、ＣＣＤ、ＣＭＯＳ等を用いた固体撮像装置、特に、二次元画像撮像素子の小型化実装方法に関するものである。」
　　
〈従来の技術〉
「　　【０００２】
　　【従来の技術】
　従来、固体撮像素子をビデオカメラ、ディジタルスティルカメラ等の機器に搭載するためには、これら機器のプリント配線基板に半田付けをする目的からセラミックやプラスチックに端子を設けた容器に固体撮像素子を収納し、ガラス等の透光性の蓋（以下、カバーガラスという）で密閉封止する方法が広く用いられている。
　　　【０００３】
　図５はこのような従来例の固体撮像装置を示す断面図である。図中１は固体撮像素子チップであり、その一方の表面に受光部１ａや能動回路部（図示せず）等が形成されている。２は容器であり、固体撮像素子チップ１を気密封止すると共に機器へ組み込むための保持部材としての機能を持っている。通常、容器２はアルミナセラミック等の焼結体や、粉末シリカ等のフィラーを混錬したエポキシ樹脂等で成型され、複数の半田付用端子２ａが設けられている。
　　　【０００４】
　容器２の内部には、固体撮像素子チップ１が設けられ、固体撮像素子チップ１の電極と複数の半田付用端子２ａとが金属ワイヤ２ｂによって電気的に接続されている。また、各半田付用端子２ａの下部は機器搭載のプリント配線板１０上に半田１０ａで電気的且つ機械的に接続されている。更に、容器２の上部の開口部には、カバーガラス３が接着剤４で固定され、固体撮像素子チップ１は密閉封止されている。カバーガラス３の一方又は両方の表面には、主に光線２０１の反射防止機能を持つ光学薄膜３ａが形成されている。
　　　【０００５】
　一方、撮影レンズ２００と固体撮像素子チップ１の間には、視感度を肉眼と一致させる目的で赤外線吸収フィルター（色ガラスフィルター）１０１、偽色を防止する目的で光学ローパスフィルター１０２，１０３が設けられている。これらのフィルターはそれぞれ着色した色ガラス、複屈折を有する結晶板等で構成するのが一般的で、これらを透明接着剤１０６で貼り合せることで光学フィルター１００として構成され、光学系に挿入されている。
　　　【０００６】
　光学フィルター１００の空気との界面には、反射防止の目的、更には赤外カット効果を向上する目的等で光学薄膜１０４，１０５が形成されている。また、ゴミの付着によって画像が損なわれるのを防ぐ目的で、光学フィルター１００とカバーガラス３の間にはゴム製のシール３ｂが設けられている。」
　　
〈第１の実施形態〉
「　　【００１３】
　（第１の実施形態）
　図１は本発明の固体撮像装置の第１の実施形態を示す断面図である。なお、図１では図５の従来装置と同一部分は同一符号を付している。図１において、１はＣＣＤ、ＣＭＯＳ等の固体撮像素子チップであり、複数の画素が２次元に配列されている。固体撮像素子チップ１は気密封止及び保護部材としての容器２内に収納されている。容器２には上部に開口部が設けられ、下部には複数の半田付用端子２ａが設けられている。固体撮像素子チップ１の電極（図示せず）と容器２の各半田付用端子２ａとは金属ワイヤ２ｂで電気的に接続されている。また、各半田付用端子２ａの下部は従来と同様にプリント配線基板上に半田を用いて電気的且つ機械的に接続されている。なお、図１ではプリント配線基板、撮影レンズ等については省略している。
　　　【００１４】
　また、本実施形態では、容器２の開口部に固体撮像素子チップ１を気密封止するための蓋（透光性蓋）として色ガラスフィルター（赤外線吸収フィルター）１０１が接着剤４で接着されている。色ガラスフィルター１０１としては、例えば旭テクノグラス（株）製視感度補正フィルターＣＦ−５０（商品名）やドイツ　ショット社製ＢＧ−１８（商品名）等が用いられる。また、容器２の内部の色ガラスフィルター１０１の光入射側とは反対側の表面には光学ローパスフィルター１０２が透明接着剤１０６で接着されている。この接着剤としては作業効率を高めるために紫外線硬化接着剤が好ましい。
　　　【００１５】
　光学ローパスフィルター１０２は容器２の開口部に収納可能となっていて受光部１ａよりも広い面積である。光学ローパスフィルター１０２の材質としては水晶、ニオブ酸リチウム等複屈折性を有する結晶の板等である。ここで、従来例では、気密性を保つため、接着剤４には熱硬化型エポキシ接着剤が多く用いられているが、本実施形態では透明接着剤１０６の特性を維持する目的で、硬化温度の比較的低い紫外線硬化型エポキシ接着剤、もしくは熱併用紫外線硬化型エポキシ接着剤を用いている。
　　　【００１６】
　また、色ガラスフィルター１０１、光学ローパスフィルター１０２の空気との界面には可視光線の反射防止、赤外線カット特性（赤外線反射）を向上する目的で光学薄膜１０４，１０５が形成されている。この場合、光学薄膜１０４は赤外線のカット特性を向上するための光学薄膜、光学薄膜１０５は可視光線の反射防止のための光学薄膜である。なお、これらの光学薄膜１０４，１０５の位置は逆であってもよいが、受光部１ａに近い方に可視光線の反射防止のための光学薄膜を形成するのが望ましい。
　　　【００１７】
　このように本実施形態では、色ガラスフィルター１０１の光入射側とは反対側の表面に光学ローパスフィルター１０２を接着し、この色ガラスフィルター１０１を用いて容器２の内部を機密封止しているので、固体撮像素子チップ１の気密封止と光学フィルターとしての機能を兼用することができる。また、ゴミ防止目的のシールも不要となるので、従来に比べて大幅に装置を小型化、ローコスト化することができる。更に、色ガラスフィルター１０１をカバーガラスと兼用しているだけであるため、色むら等が発生することがなく、画像品質を高品位に維持することができる。」
　　
〈第２の実施形態〉
「　　【００１８】
　（第２の実施形態）
　図２は本発明の第２の実施形態を示す断面図である。本実施形態では、色ガラスフィルター１０１の光入射側に透明接着剤１０６を用いて光学ローパスフィルター１０３が接着されている。また、光学ローパスフィルター１０３の表面に赤外線のカット特性を向上するための光学薄膜１０４が形成されている。その他の構成は図１と同様である。
　　　【００１９】
　光学ローパスフィルターを複屈折性の結晶板で構成する場合、結晶方位の異なる二枚の板を貼り合わせることが一般的である。そこで、本実施形態では、結晶方位の異なる光学ローパスフィルター１０２、１０３を色ガラスフィルター１０１の両面にそれぞれ接着することで、熱膨張率の違いによる反りの発生を抑制している。」
　　
〈第３の実施形態〉
「　　【００２０】
　（第３の実施形態）
　図３は本発明の第３の実施形態を示す断面図である。本実施形態では、色ガラスフィルター１０１の両面に接着された光学ローパスフィルター１０２及び１０３の大きさを固体撮像素子チップ１の受光部１ａよりもやや大きくし、光学ローパスフィルター１０２の端部から色ガラスフィルター１０１にかけて遮光マスク１０７が設けられている。その他の構成は図２と同様である。
　　　【００２１】
　受光部１ａ以外に入射した光線（図示せず）、特に、金属ワイヤ２ｂに入射した光線が乱反射し、更に光学ローパスフィルター１０２の表面もしくは光学薄膜１０５で反射して受光部１ａに再入射すると画像の品質を著しく損なう。本実施形態では、これを回避する目的で、受光部１ａを覆わないように受光部１ａを除く領域に遮光マスク１０７が設けられている。遮光マスク１０７は光を透過しないばかりでなく、反射をも防止する特性のものが用いられる。更に、遮光マスク１０７としては、図３に示すように受光部１ａと平行な平面のみならず、これにほぼ垂直な面、例えば、光学ローパスフィルター１０２の端面をも覆うことが望ましい。
　　　【００２２】
　なお、遮光マスクの１０７の形成方法としては、例えば、黒色樹脂の被膜を印刷やフォトリソグラフィの手法等により形成する方法、クロム、酸化クロム等の金属、金属酸化物被膜をメッキ、真空成膜等により形成する方法等を用いることができる。」
　　
３　対比
（１）引用発明
　引用文献に記載された第３の実施形態（図３）を引用文献に記載された発明として認定する。第３の実施形態は、「その他の構成は図２と同様である」（段落【００２０】）から、第２の実施形態（図２）の一部を変更したものであり、第２の実施形態は、「その他の構成は図１と同様である」（段落【００１８】）から、第１の実施形態（図１）の一部を変更したものである。
　第１の実施形態は、「固体撮像素子チップ１は気密封止及び保護部材としての容器２内に収納され」、「容器２には上部に開口部が設けられ、下部には複数の半田付用端子２ａが設けられ」、「固体撮像素子チップ１の電極・・・と容器２の各半田付用端子２ａとは金属ワイヤ２ｂで電気的に接続され」（段落【００１３】）、
「容器２の開口部に固体撮像素子チップ１を気密封止するための蓋（透光性蓋）として色ガラスフィルター（赤外線吸収フィルター）１０１が接着剤４で接着され」、「容器２の内部の色ガラスフィルター１０１の光入射側とは反対側の表面には光学ローパスフィルター１０２が透明接着剤１０６で接着され」（段落【００１４】）、
「光学ローパスフィルター１０２は容器２の開口部に収納可能となって」（段落【００１５】）いるものである。
　第２の実施形態は、「色ガラスフィルター１０１の光入射側に透明接着剤１０６を用いて光学ローパスフィルター１０３が接着されている」（段落【００１８】）ものである。
　第３の実施形態は、「光学ローパスフィルター１０２の端部から色ガラスフィルター１０１にかけて遮光マスク１０７が設けられ」（段落【００２０】）、「遮光マスク１０７としては、図３に示すように受光部１ａと平行な平面のみならず、これにほぼ垂直な面、例えば、光学ローパスフィルター１０２の端面をも覆うことが望ましい」（段落【００２１】）もので、「遮光マスクの１０７の形成方法としては、・・・クロム、酸化クロム等の金属、金属酸化物被膜をメッキ、真空成膜等により形成する方法等を用いることができる」（段落【００２２】）ものである。
　また、第３の実施形態は、従来の技術と同様に撮影レンズを用いるものであるから、レンズを含めて装置として、発明を認定する。
　以上より、引用文献には、次の発明（以下「引用発明」という。）が記載されていると認められる。
　　
「撮影レンズと、
　固体撮像素子チップ１は気密封止及び保護部材としての容器２内に収納され、
　容器２には上部に開口部が設けられ、下部には複数の半田付用端子２ａが設けられ、
　固体撮像素子チップ１の電極と容器２の各半田付用端子２ａとは金属ワイヤ２ｂで電気的に接続され、
　容器２の開口部に固体撮像素子チップ１を気密封止するため色ガラスフィルター１０１が接着剤４で接着され、
　容器２の内部の色ガラスフィルター１０１の光入射側とは反対側の表面には光学ローパスフィルター１０２が透明接着剤１０６で接着され、光学ローパスフィルター１０２は容器２の開口部に収納可能となっており、
　色ガラスフィルター１０１の光入射側に透明接着剤１０６を用いて光学ローパスフィルター１０３が接着され、
　光学ローパスフィルター１０２の端部から色ガラスフィルター１０１にかけて遮光マスク１０７が設けられ、
　遮光マスク１０７は、受光部１ａと平行な平面のみならず、これにほぼ垂直な面、光学ローパスフィルター１０２の端面をも覆い、
　遮光マスクの１０７の形成方法としては、金属被膜をメッキ、真空成膜等により形成する方法を用いる
　撮像装置と
　からなる装置。」
　　
（２）対比
　本願発明と引用発明とを対比する。
（ａ）「撮像用レンズが取り付けられたレンズユニット」
　引用発明は、「撮像用レンズ」といえる「撮影レンズ」を有しているが、「レンズユニット」を有していないから、本願発明と相違する。
　　
（ｂ）「該撮像用レンズに対向するように撮像素子が取り付けられたパッケージ」
　引用発明の撮像装置は、「固体撮像素子チップ１」が「容器２内に収納され」、「容器２の開口部に固体撮像素子チップ１を気密封止するため色ガラスフィルター１０１が接着剤４で接着され」るから「撮像素子が取り付けられたパッケージ」といえ、また、撮像素子は、撮影レンズ（撮像用レンズ）に対向するように取り付けられるから、引用発明の撮像装置は、「該撮像用レンズに対向するように撮像素子が取り付けられたパッケージ」といえる。
　　
（ｃ）「前記撮像素子と前記撮像用レンズとの間に配置された光学フィルタ」
　引用発明の「色ガラスフィルター１０１」、「光学ローパスフィルータ１０２」、「光学ローパスフィルター１０３」は、光学フィルタである。そして、「色ガラスフィルター１０１の光入射側とは反対側の表面には光学ローパスフィルター１０２が透明接着剤１０６で接着され」、「色ガラスフィルター１０１の光入射側に透明接着剤１０６を用いて光学ローパスフィルター１０３が接着され」ており、「色ガラスフィルター１０１」、「光学ローパスフィルータ１０２」、「光学ローパスフィルター１０３」は、「前記撮像素子と前記撮像用レンズとの間に配置された光学フィルタ」といえる。
　　
（ｄ）「モジュール構造体」、「カメラモジュール」
　引用発明は、上記（ａ）のとおり、「レンズユニット」を有しておらず、「レンズユニット」と「パッケージ」とからなる「モジュール構造体」を有しているとはいえず、また、引用発明は、「モジュール構造体」と「光学フィルタ」とを有する「カメラモジュール」ではないから、本願発明と相違する。
　　
（ｅ）「前記光学フィルタの側面を含む周囲部分の少なくとも一部が金属膜により被覆されており、該金属膜は前記光学フィルタが前記カメラモジュールに組み込まれる前に予め前記光学フィルタに形成されている」
　引用発明の「光学フィルタ」は、色ガラスフィルター１０１、光学ローパスフィルター１０２、光学ローパスフィルター１０３から構成される（上記（ｃ））。色ガラスフィルター１０１と光学ローパスフィルター１０２とは、透明接着剤１０６で接着され、色ガラスフィルター１０１と光学ローパスフィルター１０２とは、透明接着剤１０６で接着されているから、色ガラスフィルター１０１、光学ローパスフィルター１０２、光学ローパスフィルター１０３は、それぞれ別々に製造されるものであり、それぞれ端面を有するものである。すなわち、引用発明の「光学フィルタ」は、色ガラスフィルター１０１の端面、光学ローパスフィルター１０２の端面、光学ローパスフィルター１０３の端面を有するものである。また、引用発明においては、「遮光マスク１０７は、受光部１ａと平行な平面のみならず、これにほぼ垂直な面、光学ローパスフィルター１０２の端面をも覆」うものであり、端面はほぼ垂直な面であるから、側面といえる。
　したがって、引用発明の「光学フィルタ」は、色ガラスフィルター１０１の側面、光学ローパスフィルター１０２の側面、光学ローパスフィルター１０３の側面を有するものである。
　引用発明は、
「光学ローパスフィルター１０２の端部から色ガラスフィルター１０１にかけて遮光マスク１０７が設けられ、
　遮光マスク１０７は、受光部１ａと平行な平面のみならず、これにほぼ垂直な面、光学ローパスフィルター１０２の端面をも覆い、
　遮光マスクの１０７の形成方法としては、金属被膜をメッキ、真空成膜等により形成する方法を用いる」
ものであるから、光学ローパスフィルター１０２の端部から、光学ローパスフィルター１０２の端面をも覆い、色ガラスフィルター１０１にかけて金属被膜が設けられているものである。そして、この金属被膜は、引用発明の「光学フィルタ」である、色ガラスフィルター１０１、光学ローパスフィルター１０２、光学ローパスフィルター１０３（上記（ｃ））が撮像装置（装置）に組み込まれた後には設けることは困難であるから、組み込まれる前に予め光学フィルタに形成されているといえる。
　引用発明においては、「光学フィルタ」の一部である光学ローパスフィルター１０２の端面に金属被膜を設けており、光学ローパスフィルター１０２の端面（側面）は、「前記光学フィルタの側面を含む周囲部分の少なくとも一部」といえ、光学ローパスフィルター１０２の端面に金属被膜を設けることは、「前記光学フィルタの側面を含む周囲部分の少なくとも一部が金属膜により被覆されており、該金属膜は前記光学フィルタが装置に組み込まれる前に予め前記光学フィルタに形成されている」ことといえる。
　しかしながら、上記「装置」が、本願発明においては、「前記カメラモジュール」であり、引用発明においては、「前記カメラモジュール」でない点で相違する。
　　
（３）一致点、相違点
　以上より、本願発明と引用発明との一致点、相違点は以下のとおりである。
　　
（一致点）
「撮像用レンズと、該撮像用レンズに対向するように撮像素子が取り付けられたパッケージと、
　前記撮像素子と前記撮像用レンズとの間に配置された光学フィルタと
　を有する装置であって、
　前記光学フィルタの側面を含む周囲部分の少なくとも一部が金属膜により被覆されており、該金属膜は前記光学フィルタが前記装置に組み込まれる前に予め前記光学フィルタに形成されていることを特徴とする装置。」
　　
（相違点）
　「装置」が、本願発明では「カメラモジュール」であり、引用発明では「カメラモジュール」でなく、本願発明においては、「カメラモジュール」が「撮像用レンズが取り付けられたレンズユニットと、該撮像用レンズに対向するように撮像素子が取り付けられたパッケージとよりなるモジュール構造体」を有しているのに対し、引用発明においては、撮像用レンズを有しているものの、「撮像用レンズが取り付けられたレンズユニット」を有しておらず、「モジュール構造体」も有していない点
　　
４　相違点の判断等
（１）相違点について
　レンズ、フィルタ、撮像素子をモジュールとすることは周知技術であり、このモジュールはカメラモジュールといえる。このことは、例えば、特開２００３−２１９２８４号公報、特開２００３−１０１００２号公報、特開平２００２−２２３３７８号公報、特開２００１−２４５２１７号公報、特開２０００−１２５２１２号公報に示されている。
　引用発明の装置は、撮像する装置であり、上記周知技術も撮像する装置の技術であるから、上記周知技術を引用発明の装置に適用することに困難性はなく、上記周知技術を引用発明の装置に適用して、引用発明の装置をカメラモジュールとすることは当業者が容易に想到し得ることである。
　そして、引用発明は、「該撮像用レンズに対向するように撮像素子が取り付けられたパッケージ」といえる撮像装置を有しており、この撮像装置は光学フィルタを有しているものであり、引用発明の装置をカメラモジュールとする際、撮像用レンズと上記パッケージとをモジュールとするのであるから、撮像用レンズを撮像レンズが取り付けられたレンズユニットとし、このレンズユニットと上記パッケージとをモジュール構造体とすることは、当業者が容易に想到し得ることである。
　　
（２）請求人の主張について
　請求人は、審判請求書の理由において「引用文献１において、ローパスフィルター１０２の周囲とその下の色ガラスフィルタ１０１の表面を遮光マスク１０７で連続して覆うためには、ローパスフィルター１０２を撮像装置に組み込んでから遮光マスク１０７を形成する必要があります。」と主張している。
　しかしながら、上記３（２）（ｅ）のとおり、「金属被膜は、引用発明の「光学フィルタ」である、色ガラスフィルター１０１、光学ローパスフィルター１０２、光学ローパスフィルター１０３（上記（ｃ））が撮像装置（装置）に組み込まれた後には設けることは困難であるから、組み込まれる前に予め光学フィルタに形成されているといえ」、請求人の主張のように「ローパスフィルター１０２の周囲とその下の色ガラスフィルタ１０１の表面を遮光マスク１０７で連続して覆うためには、ローパスフィルター１０２を撮像装置に組み込んでから遮光マスク１０７を形成する」ものとはいえないから、請求人の主張は採用できない。
　　
（３）効果等
　以上のように、相違点に係る構成は当業者が容易に想到できたものである。そして、本願発明の構成は、上記のとおり当業者が容易に想到できたものであるところ、本願発明が奏する効果は、その容易想到である構成から当業者が容易に予測し得る範囲内のものであり、同範囲を超える顕著なものでもない。
　したがって、本願発明は、引用文献に記載された発明及び周知技術に基づいて当業者が容易に発明できたものである。
　　
５　むすび
　以上のとおり、本願の請求項１に係る発明は、引用文献に記載された発明及び周知技術に基づいて、当業者が容易に発明できたものであるから、特許法第２９条第２項の規定により特許を受けることができない。
　したがって、残る請求項２〜３に係る発明について検討するまでもなく、本願は拒絶されるべきものである。
　　
　よって、結論のように審決する。